(57)【特許請求の範囲】
【請求項１】
フレキシブル回路の接続装置であって、
第一表面及び前記第一表面に対向する第二表面を有する基層と、
格子状構造を有し、前記第一表面及び／または前記第二表面上に設置されている導電性線路と、を含み、
前記基層は内方に向けて凹んだ凹溝を有し、
前記導電性線路は、前記凹溝の内部に充填された導電性材料で形成されており、
前記凹溝の底部は、２つの微小溝によって「Ｗ」字形又は波形を成すことを特徴とする、フレキシブル回路の接続装置。
【請求項２】
前記凹溝の深さが１μｍ−６μｍであり、幅が０．２μｍ−５μｍの範囲であり、且つ前記凹溝の深さとその対応する幅との比が０．８より大きいことを特徴とする、請求項１に記載のフレキシブル回路の接続装置。
【請求項３】
前記２つの微小溝の深さが０．５μｍ−１μｍであることを特徴とする、請求項２に記載のフレキシブル回路の接続装置。
【請求項４】
前記導電性線路が前記第一表面または前記第二表面上の一方に設置され、前記導電性線路とは別の導電性線路が前記第一表面または前記第二表面上の他方に貼着され、前記別の導電性線路は、前記基層の表面から突出する高さが６μｍ−１５μｍの範囲であり、幅が５μｍ−５０μｍの範囲であることを特徴とする、請求項１に記載のフレキシブル回路の接続装置。
【請求項５】
前記第一表面及び前記第二表面が導電性貫通孔により接続されていることを特徴とする、請求項１に記載のフレキシブル回路の接続装置。
【請求項６】
前記格子状構造が多角形格子であることを特徴とする、請求項１に記載のフレキシブル回路の接続装置。
【請求項７】
前記基層がＰＥＴ（ポリエチレンテレフタレート）、ＰＣ（ポリカーボネート）及びＰＭＭＡ（ポリメチルメタクリレート）から選ばれるいずれか一種の透明材質で作製する透明基板層を含み、前記導電性線路が前記基板層上に設置されていることを特徴とする、請求項１に記載のフレキシブル回路の接続装置。
【請求項８】
前記基層が前記基板層上に設置されている重合体層をさらに含み、前記導電性線路が前記重合体層上に設置され、前記重合体層の材質が紫外線硬化型接着剤であることを特徴とする、請求項７に記載のフレキシブル回路の接続装置。
【発明の詳細な説明】
【技術分野】
【０００１】
本発明は接続用回路基板の分野に関し、特にフレキシブル回路の接続装置に関する。
【背景技術】
【０００２】
フレキシブル回路基板は体積が小さく、数百万回の動的曲げに耐えられる優位性のため、従来技術における体積が大きく且つ曲げにくいワイヤーハーネスを代替しつつある。薄型且つ軽量で、内部構造がコンパクトで複雑なデバイスにとっては、フレキシブル組立の全重量及び体積が従来の円形導体ハーネスの方法による全重量と体積よりも７０％減少される。科学技術の進歩につれて、電子部品装置の小型化及びモバイル化の必要性を満たすために、フレキシブル回路基板は唯一な解決方法になる。
【０００３】
従来のフレキシブル回路基板は基層に銅箔回路基板をエッチングするものであり、外観から目視でその導電性線路が見られ、現在の市場において普及している完全に透明な電子デバイスの製造に適していない。
【０００４】
また、従来のフレキシブル回路基板は基層に銅箔回路をエッチングするものであり、その製造工程として主に、露光工程と、現像工程と、回路エッチング工程と、不要な銅箔の除去工程と、表面処理工程等が含まれる。銅箔材料及び製造工程による制限のために、従来の銅箔はエッチング工程において高密度回路トレースが得られず、そのため従来のフレキシブル回路の接続装置は装置の内部でコンポーネントを接続する時に比較的大きいスペースが必要である。
【発明の概要】
【発明が解決しようとする課題】
【０００５】
このため、本発明は、上記問題点に鑑み、外観に美観性や透明性を有し、製造コストが低いフレキシブル回路の接続装置を提供すること目的とする。
【課題を解決するための手段】
【０００６】
フレキシブル回路の接続装置であって、
第一表面及び前記第一表面に対向する第二表面を有する基層と、
格子状構造を有し、前記第一表面及び／または前記第二表面上に設置されている導電性線路とを含む。
【０００７】
本発明の１つの実施態様において、前記基層は内方に向けて凹んだ凹溝を有し、導電性材料は前記凹溝の内部に充填されて前記導電性線路を形成する。
【０００８】
本発明の１つの実施態様において、前記凹溝の深さが１μｍ−６μｍであり、幅が０．２μｍ−５μｍの範囲であり、且つ前記凹溝の深さとその対応する溝幅との比が０．８より大きい。
【０００９】
本発明の１つの実施態様において、前記凹溝の底部に「Ｖ」字形、「Ｗ」字形、弧形又は波形の微小溝が形成されている。
【００１０】
本発明の１つの実施態様において、前記微小溝の深さが０．５μｍ−１μｍである。
【００１１】
本発明の１つの実施態様において、前記導電性線路は前記基層の表面に貼着され、前記基層の表面から突出する高さが６μｍ−１５μｍの範囲であり、幅が５μｍ−５０μｍの範囲である。
【００１２】
本発明の１つの実施態様において、前記第一表面及び前記第二表面は導電性貫通孔により接続されている。
【００１３】
本発明の１つの実施態様において、前記格子状構造は多角形格子である。
【００１４】
本発明の１つの実施態様において、前記基層はＰＥＴ（ポリエチレンテレフタレート）、ＰＣ（ポリカーボネート）、ＰＭＭＡ（ポリメチルメタクリレート）から選ばれるいずれか一種の透明材質で作製される透明基板層を含み、前記導電性線路は前記基板層上に設置されている。
【００１５】
本発明の１つの実施態様において、前記基層は前記基板層上に設置される重合体層をさらに含み、前記導電性線路は前記重合体層上に設置され、前記重合体層の材質が紫外線硬化型接着剤である。
【発明の効果】
【００１６】
上記フレキシブル回路の接続装置は、導電性線路が格子状構造に設計されるため、導電性線路の透明性を増加させ、透明で美観があるという効果を得られる。さらに、格子状構造の導電性線路は同様なフレキシブル回路基板中では、高密度の回路トレースが実現でき、従来の接続装置に比べ、接続装置の寸法及び体積を大幅に減少できるため、内部構造がコンパクト且つ複雑な電子部品中に幅広く応用できる。
【図面の簡単な説明】
【００１７】
【図１】本発明の第一実施例に係るフレキシブル回路の接続装置の基本構造を示す模式図である。
【図２】片面凹溝型フレキシブル回路の接続装置の横断面の構造模式図である。
【図３】片面突起型フレキシブル回路の接続装置の横断面の構造模式図である。
【図４】両面凹溝型フレキシブル回路の接続装置の横断面の構造模式図である。
【図５】両面突起型フレキシブル回路の接続装置の横断面の構造模式図である。
【図６】両面ハイブリッド型フレキシブル回路の接続装置の横断面の構造模式図である。
【図７】片面導電性線路が基板層に設置されている構造を示した模式図である。
【図８】片面導電性線路が重合体層に設置されている構造を示した模式図である。
【図９】両面導電性線路が基板層及び重合体層に設置されている構造を示した模式図である。
【図１０】両面導電性線路が重合体層に設置されている構造を示した模式図である。
【図１１】凹溝底部の微小溝構造の第一の種類を示す模式図である。
【図１２】凹溝底部の微小溝構造の第二の種類を示す模式図である。
【図１３】凹溝底部の微小溝構造の第三の種類を示す模式図である。
【図１４】凹溝底部の微小溝構造の第四の種類を示す模式図である。
【図１５】導電性線路内部の第一の格子状構造を示す模式図である。
【図１６】導電性線路内部の第二の格子状構造を示す模式図である。
【図１７】導電性線路内部の第三の格子状構造を示す模式図である。
【図１８】導電性線路内部の第四の格子状構造を示す模式図である。
【図１９】本発明の第二実施例に係るフレキシブル回路の接続装置の模式図である。
【図２０】本発明の第三実施例に係るフレキシブル回路の接続装置の模式図である。
【発明を実施するための形態】
【００１８】
図１に示すように、本実施例に係るフレキシブル回路の接続装置１００は基層１１０を有し、実際的な回路トレースの必要性に応じて基層１１０上に導電性材料からなる格子で構成される導電性線路１２０が配置される。
【００１９】
基層１１０は第一表面１１１及び第二表面１１２を有する。導電性線路１２０は、図２及び図３に示されるように、第一表面１１１又は第二表面１１２のいずれか一面に設置されて片面導電性線路１２０を形成することができる。導電性線路１２０は、図４、図５及び図６に示されるように、それぞれ基層１１０の第一表面１１１及び第二表面１１２に設置されて両面導電性線路１２０を形成することができ、このような構造は基層１１０の両面において高密度で配線でき、基層１１０の利用率を向上させる。フレキシブル回路の接続装置１００では片面導通機能だけを有する接続ポートを接続する必要がある場合に、図４及び図５に示される構造の設計を採用することができ、即ち第一表面１１１と第二表面１１２との間に導電性貫通孔１１３が開けられ、第二表面１１２に設置される導電性線路１２０は該導電性貫通孔１１３を介して第一表面１１１に導入される。また、フレキシブル回路の接続装置１００では両面導通機能を有する接続ポートを接続するか、又は該接続装置１００の両端にそれぞれ各自の接続ポートを接続する必要がある場合に、該両面導電性線路１２０は図６に示されるように各面の導電性線路１２０を独立に基層１１０上に設置することもできる。
【００２０】
該フレキシブル回路の接続装置１００の外観透明性を確保するために、基層１１０はＰＥＴ（ポリエチレンテレフタレート）、ＰＣ（ポリカーボネート）、ＰＭＭＡ（ポリメチルメタクリレート）から選ばれるいずれか一種の透明材料で作製される透明基板層１１６からなるものが好ましい。また、他の実施例において、基層１１０はＰＥＴ（ポリエチレンテレフタレート）、ＰＣ（ポリカーボネート）、ＰＭＭＡ（ポリメチルメタクリレート）から選ばれるいずれか一種の透明材料で作製される透明基板層１１６と、基板層１１６に設置されている重合体層１１７とを含むこともできる。重合体層１１７は例えば紫外線硬化型接着剤等の熱可塑性材料で作製できる。その中、重合体層１１７は基板層１１６のいずれか一面に設置されてもよく、基板層１１６の両面に設置されてもよく、導電性線路１２０は基板層１１６に設置されてもよく、重合体層１１７に設置されてもよく、同時にそれぞれ基板層１１６及び重合体層１１７に設置されることも可能である。図７ないし図１０は導電性線路１２０が基板層１１６及び／または重合体層１１７に設置される四種類の実施例の構造模式図である。
【００２１】
基層１１０に設けられる導電性線路１２０は二種の横断面構造を有する。図２及び図４には凹溝型横断面構造を備えるフレキシブル回路の接続装置が示され、このような構造において、基層１１０は内方に向けて凹んだ凹溝１１４を形成し、導電性材料は凹溝１１４の内部に充填されて導電性線路１２０を形成する。実際の製造プロセス中に、先ず配線をプリントした凸版型板を作製し、さらに該凸版型板で基層１１０上に直接押圧してプリントする。押圧によって基層１１０に上記配線構造を有する凹溝１１４が直接形成できる。その後、凹溝１１４内に、例えばナノ銀、銅等の金属、導電性重合体等の導電性材料をさらに充填して凹溝型導電性線路１２０が形成できる。
【００２２】
好ましい実施例では、凹溝１１４の溝深さは１μｍ−６μｍで、凹溝１１４の溝幅は０．２μｍ−５μｍであるが、導電性線路１２０の導通安定性を確保するために、凹溝１１４の深さとその対応する幅との比が０．８より大きいことが望ましい。
【００２３】
そのような構造を備える凹溝型導電性線路１２０は従来の重合体層に銅箔をエッチングする導電性線路に比べ、その最小の線幅が０．２μｍにも達するため、該接続装置１００は高密度配線を行え、従来技術で製造する接続装置よりも、接続装置の寸法及び体積を大幅に減少でき、内部構造がコンパクト且つ複雑な電子部品に使用される場合に有利である。
【００２４】
導電性材料を乾燥する際に、破断して開回路を形成する等の不具合の問題を防止するために、凹溝１１４の底部に「Ｖ」字形、「Ｗ」字形、弧形又は波形等の異なる形状を有する微小溝１１４１が設計されている。図１１ないし図１４は凹溝１１４の底部として挙げられる四種類の微小溝１１４１の構造を示す模式図である。好ましい実施例では、微小溝１１４１の深さは０．５μｍ−１μｍである。
【００２５】
また、導電性材料は導電性材料をインクジェットプリント又はスクリーン印刷の方式で基層１１０に付着して突起型導電性線路１２０を形成することもできる。図３及び図５には突起型横断面構造を備えるフレキシブル回路の接続装置１００が示され、回路突起１１５の高さは６μｍ−１５μｍ、幅は５μｍ−５０μｍである。
【００２６】
従来技術では、一般的に使用される銅箔は厚さが１８μｍ、３５μｍ、５５μｍ及び７０μｍの四種類である。そのような厚みの銅箔をエッチングしたフレキシブル回路の接続装置は一般に突起が高く、そのような厚みの銅箔をエッチングした接続装置は外力の作用を受けてタッチされて破損の問題を発生しやすい。これに対して、本実施例における導電性線路１２０の突起は最大厚み１５μｍであり、基層１１０とはほぼ同一平面となるように設置され、そのため外力の作用を受けても、破損しにくくなる。それによって導電性線路１２０は外力の作用を受けても、その開回路及び／または短絡による損傷の可能性が大幅に低下する。
【００２７】
その他、導電性線路１２０は格子状構造に設計される。図１５ないし図１８は導電性線路１２０内部の格子状構造の四種類の構造を示す模式図であり、該格子状構造は正多角形格子又は不規則的な格子とすることができ、ここではその四種類の格子だけが挙げられ、格子状構造は菱形、長方形でもよく、辺長が波形である多角形等でもよい。格子状構造を採用する導電性線路は、線幅が通常０．２μｍ−５０μｍであり、目視で視認できない程度に達するため、接続装置の機能を満足すると同時に、透明効果を得ることができ、さらに美観における要求を満足する。そのため、そのような構造は完全に透明な電子部品の配線接続に適用できる。
【００２８】
図１９及び図２０は他の実施例におけるフレキシブル回路の接続装置の基本構造を示す模式図である。
【００２９】
図１９には第二実施例のフレキシブル回路の接続装置１００が示され、該フレキシブル回路の接続装置１００は、三つの接続ポート、即ち第一の接続ポート１３１、第二の接続ポート１３２及び第三の接続ポート１３３からなる接続ポート１３０を有する。各接続ポート１３０はそれぞれフレキシブル回路の接続装置１００に設置される導電性線路１２０に電気的に導通する。具体的には、第一の接続ポート１３１及び第二の接続ポート１３２はそれぞれ外部回路の出力端に接続され、第三の接続ポート１３３は外部回路の入力端に接続される。その他、該接続装置１００の両面のいずれにも導電性線路１２０が配置でき、両面における導電性線路同士は実際の設計要求に応じて導電性貫通孔１１３によって互いに導通することができる。その際、第一の接続ポート１３１は外部回路の第一出力端に接続され、第二の接続ポート１３２は外部回路の第二出力端に接続され、第三の接続ポート１３３は外部回路の共有入力端に接続される。又は、第一の接続ポート１３１は外部回路の共有出力端に接続され、第二の接続ポート１３２は外部回路の第一入力端に接続され、第三の接続ポート１３３は外部回路の第二入力端に接続される。
【００３０】
図２０には第三実施例のフレキシブル回路の接続装置１００が示され、該フレキシブル回路の接続装置１００は、四つの接続ポート、即ち第一の接続ポート１３１、第二の接続ポート１３２、第三の接続ポート１３３及び第四の接続ポート１３４からなる接続ポート１３０を有する。第二実施例とは異なって、該フレキシブル回路の接続装置１００の両面に互いに独立に設計される導電性線路１２０が敷設され、両面導電性線路１２０のケーブルはそれぞれ異なる接続ポート１３０上に接続される。即ち第一の接続ポート１３１は外部回路の第一出力端に接続され、第三の接続ポート１３３は外部回路の第一入力端に接続され、第二の接続ポート１３２は外部回路の第二出力端に接続され、第四の接続ポート１３４は外部回路の第二入力端に接続される。このように複数の周辺装置に接続される場合に、本実施例に係る接続装置の一つのみを使用して要求を達成することができるため、接続装置の占める電子部品内部のスペースを大幅に減少することができる。
【００３１】
従来のフレキシブル回路基板は基層に銅回路をエッチングするものであり、その製造工程には、カッティング、穴あけ、銅箔貼着、回路位置あわせ、露光、現像、回路エッチング、不要な銅箔の除去、表面処理、フィルム貼付、ラミネート、硬化、表面処理、無電解ニッケル−置換金めっき、裁断、電気測定、最終検査、包装、出荷等の工程が主に含まれる。その製造工程が複雑で、製造過程のそれぞれの工程において品質上の問題を生じると最終製品の歩留まりの低下になり、さらに製造コストを増加させてしまう。本実施例におけるフレキシブル回路の接続装置１００は製造過程中において、従来技術では複雑且つ身体的危害を発生しやすい以下の製造工程：「露光、現像、回路エッチング、不要な銅箔の除去、表面処理」を「フィルムプレス、導電性材料の充填、余分な導電性材料の除去、硬化」（凹溝型フレキシブル回路の接続装置１００中の製造工程）又は「インクジェットプリント／スクリーン印刷、硬化」（突起型フレキシブル回路の接続装置１００中の製造工程）等の相対的に簡単且つ環境にやさしい工程に変更する。従って、製造工程を簡素化させると同時に、製造性及び製品の歩留まりを向上させ、接続装置の製造コストを効果的に低下させることができる。
【００３２】
いうまでもなく、上記の実施例は本発明に係る実施態様を説明するためのものであり、その説明がより具体的かつ詳細であるが、本発明を限定するものではない。本発明に係る技術的思想を逸脱しない範囲内で、本発明に係る実施態様を変形したり、また、技術特徴を部分的に均等なものに置き換えたりすることも本願発明の請求の範囲に属することは、当業者にとって理解されるものである。したがって、本発明の特許保護範囲は、添付した特許請求の範囲を基準とする。
【符号の説明】
【００３３】
１００  フレキシブル回路の接続装置
１１０  基層
１１１  第一表面
１１２  第二表面
１１３  導電性貫通孔
１１４  凹溝
１１４１  微小溝
１１５  突起
１１６  基板層
１１７  重合体層
１２０  導電性線路
１３０  接続ポート
１３１  第一の接続ポート
１３２  第二の接続ポート
１３３  第三の接続ポート
１３４  第四の接続ポート
【図１】
0006270070.tif 000002
【図２】
0006270070.tif 000003
【図３】
0006270070.tif 000004
【図４】
0006270070.tif 000005
【図５】
0006270070.tif 000006
【図６】
0006270070.tif 000007
【図７】
0006270070.tif 000008
【図８】
0006270070.tif 000009
【図９】
0006270070.tif 000010
【図１０】
0006270070.tif 000011
【図１１】
0006270070.tif 000012
【図１２】
0006270070.tif 000013
【図１３】
0006270070.tif 000014
【図１４】
0006270070.tif 000015
【図１５】
0006270070.tif 000016
【図１６】
0006270070.tif 000017
【図１７】
0006270070.tif 000018
【図１８】
0006270070.tif 000019
【図１９】
0006270070.tif 000020
【図２０】
0006270070.tif 000021